(57)【要約】【課題】棚板が外れにくく、かつ、落下防止板が倒れにくい紙製陳列棚を提供する。【解決手段】左右一対の側板５，５と、その各側板５の間に設けられた棚板７と、その棚板７の前縁に沿って上方に折り曲げられた落下防止板８と、その落下防止板８の左右の側縁に沿って後方に折り曲げられた耳片１０と、棚板７の左右の側縁に沿って下方に折り曲げられた垂下片９とを有し、耳片１０は、側板５の前縁に沿って内側に折り返された上下に隣り合う内側板６Ａ，６Ｂのうちの上側の内側板６Ａで抱き込まれ、垂下片９は、側板５の前縁に沿って内側に折り返された下側の内側板６Ｂで抱き込まれた構成を紙製陳列棚に採用する。【選択図】図２
2008000272.tif 000002
【特許請求の範囲】
【請求項１】
左右一対の側板（５，５）と、その各側板（５）の間に設けられた棚板（７）と、その棚板（７）の前縁に沿って上方に折り曲げられた落下防止板（８）と、その落下防止板（８）の左右の側縁に沿って後方に折り曲げられた耳片（１０）と、前記棚板（７）の左右の側縁に沿って下方に折り曲げられた垂下片（９）とを有し、前記耳片（１０）は、前記側板（５）の前縁に沿って内側に折り返された上下に隣り合う内側板（６Ａ，６Ｂ）のうちの上側の内側板（６Ａ）で抱き込まれ、前記垂下片（９）は、前記側板（５）の前縁に沿って内側に折り返された下側の内側板（６Ｂ）で抱き込まれた紙製陳列棚。
【発明の詳細な説明】
【技術分野】
【０００１】
この発明は、段ボールや板紙等からなる紙製陳列棚に関する。
【背景技術】
【０００２】
店頭において菓子などの商品を陳列する場合、消費者の注意を引くため、販売促進用の印刷を施した陳列棚に商品を陳列することが多い。この陳列棚は、通常、商品とともに入れ替えられるので短寿命であり、段ボールや板紙等の紙材からなるものがよく用いられる。
【０００３】
このような紙製陳列棚として、左右一対の側板と、その各側板の間に設けられた棚板と、その棚板の前縁に沿って上方に折り曲げられた落下防止板とを有し、左右の側板に形成された前縁に開放するスリットに、棚板前部から左右に延出する延出片を差し込み、棚板後部の左右の側縁に形成された突片を、左右の側板に形成された係止孔に係止させたものが知られている（特許文献１）。この紙製陳列棚は、棚板の突片を側板の係止孔に係止させることによって棚板の前方への移動を規制するとともに、落下防止板の前方への倒れを規制している。
【特許文献１】特開２００１−４６１９５号公報
【発明の開示】
【発明が解決しようとする課題】
【０００４】
しかし、この紙製陳列棚は、外力が作用して左右の側板の間隔が広がると、棚板の側縁の突片が側板の係止孔から抜け出して棚板が前方へ移動可能な状態となり、棚板が外れるおそれがある。また、棚板の側縁の突起が側板の係止孔から抜け出した場合、落下防止板も前方へ倒れることが可能な状態となり、商品が棚板から落下するおそれがあった。
【０００５】
この発明が解決しようとする課題は、棚板が外れにくく、かつ、落下防止板が倒れにくい紙製陳列棚を提供することである。
【課題を解決するための手段】
【０００６】
上記の課題を解決するために、左右一対の側板と、その各側板の間に設けられた棚板と、その棚板の前縁に沿って上方に折り曲げられた落下防止板と、その落下防止板の左右の側縁に沿って後方に折り曲げられた耳片と、前記棚板の左右の側縁に沿って下方に折り曲げられた垂下片とを有し、前記耳片は、前記側板の前縁に沿って内側に折り返された上下に隣り合う内側板のうちの上側の内側板で抱き込まれ、前記垂下片は、前記側板の前縁に沿って内側に折り返された下側の内側板で抱き込まれた構成を紙製陳列棚に採用した。
【発明の効果】
【０００７】
この発明の紙製陳列棚は、棚板の側縁に沿って下方に折り曲げられた垂下片を下側の内側板で抱き込むことにより棚板の前方への移動を規制しているので、左右の側板の間隔を広げる方向の外力が作用した場合にも、棚板の前方への移動の規制が解除されにくく、棚板が外れにくい。
【０００８】
また、落下防止板の側縁に沿って後方に折り曲げられた耳片を上側の内側板で抱き込むことにより落下防止板の前方への倒れを規制しているので、左右の側板の間隔を広げる方向の外力が作用した場合にも、落下防止板の前方への倒れの規制が解除されにくく、落下防止板が倒れにくい。
【発明を実施するための最良の形態】
【０００９】
図１に、この発明の実施形態の紙製陳列棚を示す。この陳列棚は、商品を載せる棚１と、棚１を固定する棚枠２とからなり、棚１と棚枠２はいずれも段ボールからなる。
【００１０】
棚枠２は、図２に示すように、内板３を重ね合わせた背面板４と、背面板４の左右の側縁に沿って前方に折り曲げられた左右一対の側板５，５と、各側板５の前縁に沿って内側に折り返された内側板６Ａ，６Ｂ，６Ｃ，６Ｄ，６Ｅとを有し、内側板６Ａ，６Ｂ，６Ｃ，６Ｄ，６Ｅは、上下方向に分割して形成されている。
【００１１】
棚１は、上下方向に間隔をおいて棚枠２内に複数設けられており、各棚１は、図３に示すように、二重の棚板７，７と、各棚板７の前縁に沿って上方に折り曲げられた二重の落下防止板８，８と、各棚板７の左右の側縁に沿って下方に折り曲げられた二重の垂下片９，９と、前側の落下防止板８の左右の側縁に沿って後方に折り曲げられた耳片１０とを有する。
【００１２】
耳片１０は、図４に示すように、上下に隣り合う内側板６Ａ，６Ｂのうちの上側の内側板６Ａで抱き込まれ、このとき、図５に示すように、側板５と内側板６Ａの間の接合部１１Ａが耳片１０の前縁に対向し、接合部１１Ａよりも前方に耳片１０が出るのを阻止している。
【００１３】
垂下片９も、図４に示すように、上下に隣り合う内側板６Ａ，６Ｂのうちの下側の内側板６Ｂで抱き込まれ、このとき、図５に示すように、側板５と内側板６Ｂの間の接合部１１Ｂが垂下片９の前縁に対向し、接合部１１Ｂよりも前方に垂下片９が出るのを阻止している。
【００１４】
棚１と棚枠２のブランクを説明する。図６に示す棚枠２のブランクは、背面板４の左右の側縁に側板５が連設され、側板５の側縁に内側板６Ａ〜６Ｅが連設されている。また、側板５の上下の端縁には折込み片１２が連設され、上下方向に並んだ内側板６Ａ〜６Ｅのうちの一番上の内側板６Ａの上端縁と一番下の内側板６Ｅの下端縁にもそれぞれ折込み片１３が連設されている。また、一番下の内側板６Ｅには、内側板６Ｅを上下に分割する切目線１４が形成されている。背面板４の上下の端縁には、端板１５、内端板１６が順に連設されている。
【００１５】
一方、図７に示す棚１のブランクは、左右に延びる折目線１７を間に挟んで上下一対の落下防止板８，８、上下一対の棚板７，７が順に連設されている。各棚板７の左右の側縁には垂下片９がそれぞれ連設され、落下防止片８の左右の側縁には耳片１０がそれぞれ連設されている。
【００１６】
棚１と棚枠２のブランクは、たとえば、次のようにして組み立てることができる。まず、棚１のブランクを、折目線１７に沿って二つ折りにする。つぎに、図８に示すように、重なり合った状態の落下防止板８，８を、重なり合った状態の棚板７，７に対して上方に起こし、つづいて、重なり合った状態の垂下片９，９を下方に折り曲げるとともに、耳片１０を棚板７の側に折り曲げる。
【００１７】
一方、棚枠２のブランクは、一番上の各内側板６Ａと一番下の内側板６Ｅの切目線１４よりも下側部分とをそれぞれ折り返して側板５に重ね合わせ、その状態で左右の各側板５を背面板４に対して起こす。つぎに、重なり合った状態の折込み片１２，１３を内側に折り曲げ、つづいて背面板４に対して上下の各端板１５を起こし、さらに、各内端板１６を折り返して内端板１６と端板１５の間に折込み片１２，１３を挟み込む。
【００１８】
つぎに、棚１の耳片１０を、図３に示すように側板５と一番上の内側板６Ａの間に形成された隙間に差し込み、つづいて、上から２番目の内側板６Ｂを折り返し、内側板６Ｂと側板５の間に垂下片９を挟み込む。この状態で、垂下片９は、図４に示すように、内側板６Ｂで抱き込まれて棚板７の前方への移動を規制し、耳片１０は、内側板６Ａで抱き込まれて落下防止板８の前方への倒れを規制する。
【００１９】
次の棚１も同様に、耳片１０を、側板５と上から２番目の内側板６Ｂの間に形成された隙間に差し込み、つづいて、上から３番目の内側板６Ｃを折り返し、内側板６Ｃと側板５の間に垂下片９を挟み込むことにより、棚枠２に固定する。上から３番目の棚１、４番目の棚１も同様にして棚枠２に固定する。上から４番目の棚１は、一番下の内側板６Ｅの切目線１４よりも上側部分を折り返して内側板６Ｅと側板５の間に垂下片９を挟み込む。
【００２０】
この陳列棚は、内側板６Ｂで垂下片９を抱き込むことにより棚板７の前方への移動を規制しているので、左右の側板５，５の間隔を広げる方向の外力が棚枠２に作用した場合にも、棚板７の前方への移動の規制が解除されにくく、棚枠２から棚１が外れにくい。
【００２１】
また、内側板６Ａで耳片１０を抱き込むことにより落下防止板８の前方への倒れを規制しているので、左右の側板５，５の間隔を広げる方向の外力が棚枠２に作用した場合にも、落下防止板８の前方への倒れの規制が解除されにくく、棚枠２から落下防止板８が倒れにくい。
【００２２】
上記実施形態では、一番下の内側板６Ｅに切目線１４を形成することにより、下側の端板を組み立てた後に棚を棚枠に組み込むことを可能にし、陳列棚の組み立ての作業性を向上させているが、切目線１４はなくてもよい。この場合、下側の端板１５と内端板１６による折込み片１２，１３の折り込み作業を、各棚１を棚枠２に固定した後に行なうことにより、陳列棚を組み立てることができる。
【００２３】
また、上記実施形態では、左右一対の側板５，５の後縁同士を背面板４で連結した断面コ状の棚枠２に方形状の棚板７を嵌め込んでいるが、左右一対の側板の後縁同士を、上下方向の折目線に沿って折り曲げた背面板で連結し、その背面板の内面と左右一対の側板の内面とに沿った形状の棚板を嵌め込むようにしてもよい。要は、左右一対の側板の間に棚板を設ければよい。
【００２４】
また、上記実施形態では、陳列棚を段ボールで形成することにより陳列棚の剛性とリサイクル性を両立させているが、陳列棚は、板紙など他の紙材で形成してもよい。
【００２５】
この陳列棚を用いると、図９に示すように、多方向にいる消費者に商品を視認させることが可能な販売台を得ることができる。この販売台は、上記実施形態の陳列棚２１を、段ボールからなる多角柱状の台座２２の上面に、相異なる辺に沿って複数個（図では２個）載せ、各陳列棚２１を、台座２２の上面の縁に沿って形成された周壁２３で保持したものである。この販売台を用いると、陳列棚２１に載せた商品を多方向から視認することができるので、より多くの消費者の注意を引くことができ、販売促進の効果が高い。
【００２６】
この販売台は、図に示すように、隣り合う陳列棚２１，２１の間に三角柱状のスペーサ２４を嵌め込むと、陳列棚２１同士の一体感が生じ、販売台の美感を高めることができる。また、図に示すように、隣り合う陳列棚２１，２１同士を、連結板２５を介して連結すると、各陳列棚２１の姿勢をより安定させることができ、好ましい。
【図面の簡単な説明】
【００２７】
【図１】この発明の実施形態の陳列棚を示す斜視図
【図２】図１に示す陳列棚の分解斜視図
【図３】図２に示す陳列棚の棚と棚枠の接続部分の分解斜視図
【図４】図３の陳列棚を棚枠に固定した状態を示す斜視図
【図５】図４に示す陳列棚の断面図
【図６】図１の陳列棚の棚枠のブランクを示す図
【図７】図１の陳列棚の棚のブランクを示す図
【図８】図７のブランクを組み立てた棚の端部を示す斜視図
【図９】図１の陳列棚を用いた販売台を示す斜視図
【符号の説明】
【００２８】
５      側板
６Ａ，６Ｂ，６Ｃ，６Ｄ，６Ｅ  内側板
７      棚板
８      落下防止板
９      垂下片
１０    耳片
【図１】
2008000272.tif 000003
【図２】
2008000272.tif 000004
【図３】
2008000272.tif 000005
【図４】
2008000272.tif 000006
【図５】
2008000272.tif 000007
【図６】
2008000272.tif 000008
【図７】
2008000272.tif 000009
【図８】
2008000272.tif 000010
【図９】
2008000272.tif 000011